(57)【要約】      （修正有）【課題】使用箇所への野生動物の侵入を阻止できるとともに、使用後に回収する必要がなく、自然環境に優しい野生動物忌避シートを提供する。【解決手段】唐辛子が内部に詰め込まれ、紙からなり雨によって破れる複数の袋体２２と、通水性を有する不織布で形成されるとともに、複数の仕切り２５を設けて仕切り２５間に袋体２２の個々を収容する領域２３ａが設けられた収容体２３と、収容体２３を覆い隠せる大きさであって、収容体２３が一方の面に取付けられるとともに、麻からなり通水性を有するシート体２４とを備え、野生動物の侵入を阻止する。【選択図】図１
2011160687.tif 000002
【特許請求の範囲】
【請求項１】
唐辛子が内部に詰め込まれ、有機物の繊維材からなり雨によって破れる複数の袋体と、
通水性を有する不織布で形成されるとともに、複数の仕切りを設けて仕切り間に前記袋体の個々を収容する領域が設けられた収容体と、
前記収容体を覆い隠せる大きさであって、前記収容体が一方の面に取付けられるとともに、有機物の繊維材からなり通水性を有するシート体とを備え、野生動物の侵入を阻止することを特徴とする野生動物忌避シート。
【請求項２】
前記袋体はそれぞれ略二等辺三角形であり、前記複数の領域もそれぞれ略二等辺三角形であるとともに左右一列でしかも略二等辺三角形の底辺を左右に平行で、かつ左右に隣接する前記領域同士の形状を互い違いになるように設けられ、さらに前記収容体を前記シート体の中央部に配置したことを特徴とする請求項１に記載の野生動物忌避シート。
【請求項３】
前記袋体はそれぞれ左右に長い略矩形状であり、前記複数の領域もそれぞれ左右に長い略矩形状であるとともに左右一列に設けられ、さらに前記収容体をその幅を前記シート体の幅の１／３以下として前記シート体の中央部に配置したことを特徴とする請求項１に記載の野生動物忌避シート。
【請求項４】
前記シート体の通水性を、前記収容体の通水性よりも高くしたことを特徴とする請求項１乃至３のうちいずれか一つに記載の野生動物忌避シート。
【請求項５】
請求項１又は２に記載の野生動物忌避シートの使用方法であって、
前記野生動物忌避シートにおける前記収容体が取付けられた一方の面を下側にして、前記野生動物忌避シートを法面に敷設することを特徴とする野生動物忌避シートの使用方法。
【請求項６】
請求項１又は２に記載の野生動物忌避シートの使用方法であって、
前記野生動物忌避シートにおける前記収容体が取付けられた一方の面を内側にして、前記野生動物忌避シートを樹木の幹に巻き付けて固定することを特徴とする野生動物忌避シートの使用方法。
【請求項７】
請求項３に記載の野生動物忌避シートの使用方法であって、
前記野生動物忌避シートにおける前記収容体が取付けられた一方の面を下側にして、前記野生動物忌避シートを地面に敷設するとともに、前記シート体の、前記収容体が取付けられた中央部以外の部分の上面から苗又は苗木を植え込み、前記シート体越しに前記苗又は苗木を前記地面に根付かせることを特徴とする記載の野生動物忌避シートの使用方法。
【請求項８】
前記袋体は、紙からなることを特徴とする請求項１乃至７のうちいずれか一つに記載の野生動物忌避シート及び野生動物忌避シートの使用方法。
【請求項９】
前記シート体は、麻からなることを特徴とする請求項１乃至８のうちいずれか一つに記載の野生動物忌避シート及び野生動物忌避シートの使用方法。
【発明の詳細な説明】
【技術分野】
【０００１】
本発明は、野生動物の侵入を阻止する野生動物忌避シート及びその使用方法に関するものである。
【背景技術】
【０００２】
従来、山間部において道路が建設された場合、土砂崩れ防止のためにモルタルを吹き付けて法面を整備する手法が取られてきた。
そして、近年においては自然環境との調和の観点から、モルタル工法に替えて、土留め工がなされた法面を緑化し、植物に根を張らせることで法面の客土を保持し、土砂崩れを防止する緑化工法が主流になってきている。
【０００３】
しかし、緑化工法では、自然界において緑が少なくなる季節に、法面に植樹されたばかりの柔らかい苗木や発芽して間もない新芽が猪や鹿等の野生動物に食べられるという被害（食害）が発生してしまう。また、野生動物が法面に侵入して、まだしっかり保持されていない客土が掘り起こされたり、鹿等の有蹄動物の歩行によって客土が踏み崩されたりするという被害もある。これらの被害が甚だしい場合には、苗木等が成長し客土をしっかり保持する前に、雨によって土砂崩れが発生してしまう。
【０００４】
そこで、野生動物を緑化されたばかりの法面に侵入させないために、図７に示すような野生動物忌避シート１０が開示されている（例えば、特許文献１参照）。
【先行技術文献】
【特許文献】
【０００５】
【特許文献１】特開２００３−３４９３３号公報
【０００６】
特許文献１に記載の発明に係る野生動物忌避シート１０は、不織布加工したマット材１１に、ポリエチレン繊維からなるネット１２を重ね、その表面に亀甲状の金網１３を張設してなる。
このような野生動物忌避シート１０を植樹されたばかりの法面に使用すると、野生動物は金網１３に爪が引っ掛かることを嫌い、この野生動物忌避シート１０が使用されている箇所には近づかないので、植樹された苗木等が野生動物に食べられてしまうことがない。よって、苗木等が成長し、客土をしっかり保持することができる。また、苗木等が成長するまでの間、客土が野生動物に踏み崩されることもないので、それに伴う土砂崩れも発生し難くなる。
しかも、野生動物忌避シート１０を使用した緑化工法は、モルタル工法に比べて、施工された法面の圧迫感が少ないので、自然の景観を壊し難い。
【発明の概要】
【発明が解決しようとする課題】
【０００７】
しかしながら、野生動物忌避シート１０を施工した場所の草刈、点検などを実施する場合、草に隠れている腐食した金網１３に刈払機等が当たることで、金網１３の破片が飛び散り、草刈作業者に刺って重症化することがある。
このように、危険であるにもかかわらず、金網１３を備える野生動物忌避シート１０は回収されていないのが現状である。しかも、野生動物忌避シート１０を設置してしばらく時間が経ってから草刈等が行われるので、草刈時にはどれくらいの範囲にわたって野生動物忌避シート１０が設置されているか把握しきれず、草刈作業者は常に危険と隣り合わせとなっている。
【０００８】
そこで、本発明の目的とするところは、使用箇所への野生動物の侵入を阻止できるとともに、使用後に回収する必要がなく、自然環境に優しい野生動物忌避シートを提供することにある。
【課題を解決するための手段】
【０００９】
上記の目的を達成するために、本発明の請求項１に記載の野生動物忌避シート（２０，３０）は、唐辛子（２１）が内部に詰め込まれ、有機物の繊維材からなり雨によって破れる複数の袋体（２２，３２）と、通水性を有する不織布で形成されるとともに、複数の仕切り（２５，３５）を設けて仕切り（２５，３５）間に前記袋体（２２，３２）の個々を収容する領域（２３ａ，３３ａ）が設けられた収容体（２３，３３）と、前記収容体（２３，３３）を覆い隠せる大きさであって、前記収容体（２３，３３）が一方の面に取付けられるとともに、有機物の繊維材からなり通水性を有するシート体（２４）とを備え、野生動物の侵入を阻止することを特徴とする。
【００１０】
また、請求項２に記載の野生動物忌避シート（２０）は、前記袋体（２２）はそれぞれ略二等辺三角形であり、前記複数の領域（２３ａ）もそれぞれ略二等辺三角形であるとともに左右一列でしかも略二等辺三角形の底辺を左右に平行で、かつ左右に隣接する前記領域（２３ａ）同士の形状を互い違いになるように設けられ、さらに前記収容体（２３）を前記シート体（２４）の中央部に配置したことを特徴とする。
【００１１】
また、請求項３に記載の野生動物忌避シート（３０）は、前記袋体（３２）はそれぞれ左右に長い略矩形状であり、前記複数の領域（３３ａ）もそれぞれ左右に長い略矩形状であるとともに左右一列に設けられ、さらに前記収容体（３３）をその幅（Ｗ４）を前記シート体（２４）の幅（Ｗ２）の１／３以下として前記シート体（２４）の中央部に配置したことを特徴とする。
【００１２】
また、請求項４に記載の野生動物忌避シート（２０，３０）は、前記シート体（２４）の通水性を、前記収容体（２３，３３）の通水性よりも高くしたことを特徴とする。
【００１３】
また、請求項５に記載の野生動物忌避シート（２０）の使用方法は、前記野生動物忌避シート（２０）における前記収容体（２３）が取付けられた一方の面を下側にして、前記野生動物忌避シート（２０）を法面に敷設することを特徴とする。
【００１４】
また、請求項６に記載の野生動物忌避シート（２０）の使用方法は、前記野生動物忌避シート（２０）における前記収容体（２３）が取付けられた一方の面を内側にして、前記野生動物忌避シート（２０）を樹木（Ｔ）の幹に巻き付けて固定することを特徴とする。
【００１５】
また、請求項７に記載の野生動物忌避シート（３０）の使用方法は、前記野生動物忌避シート（３０）における前記収容体（３３）が取付けられた一方の面を下側にして、前記野生動物忌避シート（３０）を地面に敷設するとともに、前記シート体（２４）の、前記収容体（３３）が取付けられた中央部以外の部分の上面から苗又は苗木を植え込み、前記シート体（２４）越しに前記苗又は苗木を前記地面に根付かせることを特徴とする。
【００１６】
また、請求項８に記載の野生動物忌避シート（２０，３０）及び野生動物忌避シート（２０，３０）の使用方法は、前記袋体（２２，３２）は、紙からなることを特徴とする。
【００１７】
また、請求項９に記載の野生動物忌避シート（２０，３０）及び野生動物忌避シート（２０，３０）の使用方法は、前記シート体（２４）は、麻からなることを特徴とする。
【００１８】
ここで、上記括弧内の記号は、図面および後述する発明を実施するための形態に掲載された対応要素または対応事項を示す。
【発明の効果】
【００１９】
本発明の請求項１に記載の野生動物忌避シートによれば、唐辛子が内部に詰め込まれた複数の袋体を備えるので、唐辛子の刺激臭によって、この野生動物忌避シートの使用箇所へ野生動物が侵入することを阻止することができ、その箇所の苗木等を十分に育成することができる。しかも、唐辛子は有機物であるので、野生動物の侵入を阻止する効果を有していても、自然環境を汚染しない。
また、収容体は通水性を有する不織布で形成されるので、雨水が内部の袋体まで達することができる。さらに、唐辛子が詰め込まれた袋体は雨によって破れるので、効率的に唐辛子の刺激臭が拡散し、野生動物を寄せ付けない。
また、複数の仕切りを設けて仕切り間に袋体の個々を収容する領域が設けられた収容体を備えるので、収容体に収容された袋体が収容体の一部分に偏在することがなく、袋体内の唐辛子の刺激臭が効果的に拡散する。よって、確実に野生動物を寄せ付けない。
【００２０】
さらに、収容体を覆い隠せる大きさであって、収容体が一方の面に取付けられたシート体を備えるので、収容体を下側（請求項５，７）又は内側（請求項６）として野生動物忌避シートを使用したときに収容体が目立たず景観を壊さない。また、シート体は通水性を有するので、収容体がシート体の下側又は内側となるように野生動物忌避シートが使用されても、雨水が袋体まで浸透する。
また、唐辛子は有機物であるとともに、袋体は例えば紙（請求項８）等の有機物の繊維材からなり、また収容体は不織布で形成され、さらにシート体は例えば麻（請求項９）等の有機物の繊維材からなるので、いずれも野生動物忌避シートの使用から数年で腐朽する。したがって、使用後に野生動物忌避シートがゴミとはならないので、自然環境に優しい。また、野生動物忌避シートは腐朽するので、作業者がわざわざ野生動物忌避シートを回収するために山間部まで行く必要がない。そして、苗木等が成長し、唐辛子が腐朽する頃には刺激臭も消失しているので、野生動物が野生動物忌避シートを使用していた箇所に侵入し、成長した樹木の葉や樹皮を食べることが可能であり、野生動物の保護も図れる。
【００２１】
また、請求項２に記載の野生動物忌避シートによれば、請求項１に記載の発明の作用効果に加え、袋体はそれぞれ略二等辺三角形であり、複数の領域もそれぞれ略二等辺三角形であるとともに左右一列でしかも略二等辺三角形の底辺を左右に平行で、かつ左右に隣接する領域同士の形状を互い違いになるように設けたので、野生動物忌避シートの製造が容易である。つまり、収容体に対し、袋体を収容する領域を一つ一つ形成すると多くの工数が掛かるが、本発明においては、例えばまず二枚の不織布をノコギリ歯状に一連にミシン等で縫って、連続した仕切りを設けて（例えば図３（ａ））、ノコギリ状の仕切り間にそれぞれ袋体を挿入し（例えば図３（ｂ））、略二等辺三角形の底辺にあたる部分を、収容体の全長に亘って二本縫う（例えば図３（ｃ））だけで袋体の個々を収容することができる。
【００２２】
また、請求項３に記載の野生動物忌避シートによれば、請求項１に記載の発明の作用効果に加え、袋体はそれぞれ左右に長い略矩形状であり、複数の領域もそれぞれ左右に長い略矩形状であるとともに左右一列に設けられ、さらに収容体をその幅をシート体の幅の１／３以下としてシート体の中央部に配置したので、野生動物忌避シートにおける収容体が取付けられた一方の面を下側にして、野生動物忌避シートを地面に敷設したとき、シート体の、収容体が取付けられた中央部以外の部分の上面から苗又は苗木を植え込み、シート体越しに苗又は苗木を地面に根付かせることができる（請求項７）。つまり、植え込んだ苗等のすぐ側に唐辛子が入った袋体を配置できるので、効果的に野生動物から苗等を守ることができる。また、収容体の幅をシート体の幅の１／３以下としたので、野生動物忌避シートの上面に多くの苗を植え込むことで野生動物忌避シートの大部分が苗で隠れ、見栄えがよい。
【００２３】
また、請求項４に記載の野生動物忌避シートによれば、請求項１乃至３に記載の発明の作用効果に加え、シート体の通水性を、収容体の通水性よりも高くしたので、確実に雨水が袋体まで浸透し、袋体が破れる。
【００２４】
また、請求項５に記載の野生動物忌避シートの使用方法によれば、野生動物忌避シートを法面に敷設するので、野生動物が法面に侵入することを阻止することができる。よって、法面が野生動物に踏み崩されて土砂崩れが発生することを防ぐことができ、また、法面に植樹された苗木を野生動物の食害から守ることもできる。
さらに、野生動物忌避シートにおける収容体が取付けられた一方の面を下側にして敷設するので、収容体が破れてもシート体が唐辛子に覆い被さっており、雨によって唐辛子が流され難い。
【００２５】
また、請求項６に記載の野生動物忌避シートの使用方法によれば、野生動物忌避シートにおける収容体が取付けられた一方の面を内側にして、野生動物忌避シートを樹木の幹に巻き付けて固定するので、野生動物に樹皮を食べられることなく、樹木を育成することができる。
また、野生動物忌避シートにおける収容体が取付けられた一方の面を内側にして、幹に巻き付けるので、収容体が破れてもシート体が唐辛子に覆い被さっており、雨によって唐辛子が流され難い。
【００２６】
なお、本発明の野生動物忌避シートのように、唐辛子が内部に詰め込まれた袋体と、不織布で形成され袋体を収容する収容体と、収容体を一方の面に取付けられるシート体とを備える点は、上述した特許文献１には全く記載されていない。
【図面の簡単な説明】
【００２７】
【図１】本発明の第一実施形態に係る野生動物忌避シートを示す平面図であって、（ａ）はおもて面を、（ｂ）は裏面を示す。
【図２】図１に示す野生動物忌避シートのＡ−Ａ線要部拡大断面図である。要部拡大断面図である。
【図３】図１に示す野生動物忌避シートの製造工程を示す平面図である。
【図４】図１に示す野生動物忌避シートの使用状態を示す斜視図である。
【図５】本発明の第二実施形態に係る野生動物忌避シートの裏面を示す平面図である。
【図６】図１に示す野生動物忌避シートの他の使用状態を示す斜視図である。
【図７】従来例に係る野生動物忌避シートを示す平面図である。
【発明を実施するための形態】
【００２８】
（第一実施形態）
図１乃至図４を参照して、本発明の第一実施形態に係る野生動物忌避シート２０及び野生動物忌避シート２０の使用方法を説明する。
この野生動物忌避シート２０は、袋体２２と、収容体２３と、シート体２４と、を備えるものである。
【００２９】
袋体２２は、唐辛子２１が内部に詰め込まれるものであって、紙からなる。この紙は、一定量の雨で濡れると破れてしまう程度の厚さ及び強度である。
袋体２２の形状は、頂角が略直角の略二等辺三角形であり、唐辛子２１が中に詰め込まれたときの厚さは数ｍｍ〜１ｃｍ程度になる。このような袋体２２が複数設けられている。
ここで用いられている唐辛子２１は、本来は廃棄処分されている、唐辛子２１収穫後の葉、茎、根、又は売り物にはならない形の悪い実である。もちろん、形の良い実であってもよい。これらをフードプロセッサーや破砕機等で一片が数ｍｍ〜数ｃｍの粗微塵切りにして、袋体２２に詰め込まれている。
なお、袋体２２を用いず収容体２３に直接唐辛子２１を詰め込むと、収容体２３は袋体２２より目が粗いので、野生動物忌避シート２０の製造時及び使用時に、作業者が不快になるほどに刺激臭が拡散してしまう。よって、作業者保護のために袋体２２は必須である。
【００３０】
収容体２３は、幅Ｗ１が１２ｃｍ、長さＬ１が１００ｃｍの、左右に延びる矩形状の不織布を二枚重ねて形成される。収容体２３は不織布からなるので、通水性及び通気性を有する。なお、この不織布は生分解性である。そして、二枚の不織布をミシン縫いすることで複数の仕切り２５を設けて、その仕切り２５間に袋体２２の個々を収容する領域２３ａが設けられている。
袋体２２を収容する複数の領域２３ａは、それぞれ袋体２２と略相似形の略二等辺三角形であり、かつ袋体２２よりも大きい。その並びは、左右一列であって、略二等辺三角形の底辺を左右に平行で、かつ左右に隣接する領域２３ａ同士の形状が互い違いとなっている。つまり、袋体２２を収容する領域２３ａがこのように並ぶように、ミシン縫いされて仕切られている。
【００３１】
シート体２４は、幅Ｗ２が１５ｃｍ、長さＬ２が１１０ｃｍの、左右に延びる矩形状であって、麻で織られてなる。シート体２４の長さＬ２は収容体２３の長さＬ１よりも長く、シート体２４の幅Ｗ２もまた収容体２３の幅Ｗ１より広いので、シート体２４によって収容体２３を覆い隠すことができる。このシート体２４の一方の面（裏面）の中央部には収容体２３が縫い付けられており、シート体２４のおもて面には何も取付けられていない。また、シート体２４は麻からなるので、通水性及び通気性を有する。その通水性は、麻より目の細かい不織布からなる収容体２３の通水性よりも高い。
【００３２】
このような野生動物忌避シート２０は、次に示す製造工程により製造される。
まず、図３（ａ）に示すように、二枚の同形状の不織布（収容体２３）を重ね、左右に延びるノコギリ歯状に一連にミシンで縫い合わせて、連続した仕切り２５ａを設ける。このとき、ノコギリ歯状の仕切り２５ａの各頂点は収容体２３の長辺に接しないように、長辺の幅方向内側に位置させる。
次に、図３（ｂ）に示すように、二枚の不織布の間であって、ノコギリ歯状の仕切り２５ａ間に、収容体２３の長辺側からそれぞれ袋体２２を挿入する。この袋体２２の頂角がノコギリ歯状の仕切り２５ａの各頂点に対応するようにして、袋体２２がノコギリ歯状の仕切り２５ａ間からはみ出ないようにする。
【００３３】
最後に、図３（ｃ）に示すように、袋体２２が挿入された収容体２３をシート体２４の長辺側及び短辺側からはみ出さないように、シート体２４の中央部に配置する。そして、袋体２２を収容する領域２３ａの略二等辺三角形の底辺にあたる部分を、収容体２３の全長に亘り左右に直線状に二本縫う。このとき、この直線状の仕切り２５ｂが、ノコギリ歯状の仕切り２５ａと交差するように、ノコギリ歯状の仕切り２５ａの頂点のそれぞれ幅方向内側数ｍｍの位置を通るようにする。こうして、袋体２２が収容体２３に収容されるとともに、収容体２３がシート体２４に縫い合わされる。このように縫ってなる仕切り２５によって袋体２２の三方を完全に囲うことで、野生動物忌避シート２０の使用中に袋体２２が破れても中の唐辛子２１は収容体２３の外にこぼれない。
【００３４】
この野生動物忌避シート２０は次のように使用される。
図４に示すように、野生動物忌避シート２０（２０Ａ，２０Ｂ，２０Ｃ，２０Ｄ）における収容体２３が取付けられた一方の面を下側にして、野生動物忌避シート２０（２０Ａ，２０Ｂ，２０Ｃ，２０Ｄ）の少なくとも四隅を木杭（図示しない）等で打ち付けることで野生動物忌避シート２０（２０Ａ，２０Ｂ，２０Ｃ，２０Ｄ）が法面Ｎに敷設される。法面Ｎにおいて最も崩れ易い箇所は、谷側に向かう法面Ｎにおける道路Ｒとの境界である。よって、この境界部分に野生動物が侵入して植樹された苗木等を食べたり、この箇所を踏み崩されたりすることを防がなければならない。したがって、少なくともこの法面Ｎにおける境界部分に、道路Ｒが延びる方向に平行に延びるように野生動物忌避シート２０Ａを敷設することが重要である。
それに加えて、野生動物の法面Ｎへの侵入阻止の効果を上げるために、道路Ｒに平行に敷設された野生動物忌避シート２０Ａから谷側に向かって、別の複数の野生動物忌避シート２０Ｂが敷設される。この谷側に向かって延びる複数の野生動物忌避シート２０Ｂは、道路Ｒが延びる方向に互いに所定間隔あけられている。
道路Ｒから山側に向かう法面Ｎにおいても同様に、山側に向かう法面Ｎにおける道路Ｒとの境界部分には、野生動物忌避シート２０Ｃが道路Ｒに平行に敷設されるとともに、この野生動物忌避シート２０Ｃから山側に向かって、別の複数の野生動物忌避シート２０Ｄが互いに所定間隔をあけて敷設される。
【００３５】
以上のように構成及び使用された野生動物忌避シート２０によれば、唐辛子２１が内部に詰め込まれた複数の袋体２２を備えるので、唐辛子２１の刺激臭によって、野生動物忌避シート２０が使用された法面Ｎに野生動物が侵入することを阻止することができ、法面Ｎに植樹された苗木等を十分に育成することができる。よって、苗木等が法面Ｎの客土をしっかり保持するようになるので、土砂崩れが発生し難くなる。
また、食害を回避できるだけではなく、野生動物の侵入を防ぐことで、猪に客土を掘り返されたり、鹿に法面Ｎを踏み崩されたりしないので、このような点からも土砂崩れを防ぐことができる。
【００３６】
また、唐辛子２１を粗微塵切りにして使用したので、唐辛子２１を切らずにそのまま使用した場合と比べて刺激臭の拡散効果が高く、より細かく微塵切りにした場合と比べて長期間刺激臭が拡散し続ける。
さらに、唐辛子２１を使用することで、野生動物の侵入阻止だけではなく、苗木等における病害虫の予防にもなる。
しかも、唐辛子２１は有機物であるので、野生動物の侵入を阻止する効果等を有していても、自然環境を汚染しない。
【００３７】
また、収容体２３は通水性を有する不織布で形成されるので、雨水が内部の袋体２２まで達することができる。さらに、唐辛子２１が詰め込まれた袋体２２は雨によって破れるので、効率的に唐辛子２１の刺激臭が拡散し、野生動物を寄せ付けない。なお、紙であってもビニル袋等よりは通気性を有するので、紙からなる袋体２２が破れていない使用開始直後であっても、野生動物忌避シート２０は野生動物を寄せ付けない効果を発揮する。
【００３８】
また、野生動物忌避シート２０は、複数の仕切り２５を設けて仕切り２５間に袋体２２の個々を収容する領域２３ａが設けられた収容体２３を備えるので、収容体２３に収容された袋体２２が収容体２３の一部分に偏在することがなく、袋体２２内の唐辛子２１の刺激臭が効果的に拡散する。
【００３９】
さらに、野生動物忌避シート２０は、収容体２３を覆い隠せる大きさであって、収容体２３が一方の面に取付けられたシート体２４を備えるので、収容体２３を下側として野生動物忌避シート２０を使用したときに収容体２３が目立たず、景観を壊さない。また、シート体２４は収容体２３よりも高い通水性を有するので、野生動物忌避シート２０がこのように使用された場合でも、雨水が袋体２２まで確実に浸透する。また、シート体２４が収容体２３に覆い被さった状態で野生動物忌避シート２０を使用するので、シート体２４より先に収容体２３が破れても（腐朽しても）、雨によって収容体２３内の唐辛子２１が流されない。
【００４０】
また、唐辛子２１は有機物であるとともに、袋体２２は紙からなり、また収容体２３は不織布で形成され、さらにシート体２４は麻からなるので、いずれも野生動物忌避シート２０の使用から数年で腐朽する。したがって、使用後に野生動物忌避シート２０がゴミとはならないので、自然環境に優しい。また、野生動物忌避シート２０は腐朽するので、作業者がわざわざ野生動物忌避シート２０を回収するために山間部まで行く必要がない。そして、苗木等が成長し、唐辛子２１が腐朽した頃には刺激臭も消失しているので、野生動物が野生動物忌避シート２０を使用していた箇所に侵入し、成長した樹木の葉や樹皮を食べることが可能であり、野生動物の保護も図れる。
【００４１】
また、袋体２２はそれぞれ略二等辺三角形であり、複数の領域２３ａもそれぞれ略二等辺三角形であるとともに左右一列でしかも略二等辺三角形の底辺を左右に平行で、かつ左右に隣接する領域２３ａ同士の形状を互い違いになるように設けたので、野生動物忌避シート２０の製造が容易である。つまり、収容体２３に対し、袋体２２を収容する領域２３ａを一つ一つミシンで縫って形成すると多くの工数が掛かるが、本実施形態においては、まず二枚の不織布をノコギリ歯状に一連にミシンで縫って、連続した仕切り２５ａを設けて（図３（ａ））、ノコギリ状の仕切り２５ａ間にそれぞれ袋体２２を挿入し（図３（ｂ））、略二等辺三角形の底辺にあたる部分を、収容体２３の全長に亘って直線状に二本縫う（図３（ｃ））だけで袋体２２の個々を収容することができるので、野生動物忌避シート２０製造のための工数が少なくて済む。
【００４２】
（第二実施形態）
次に図５を参照して、本発明の第二実施形態に係る野生動物忌避シート３０及び野生動物忌避シート３０の使用方法を説明する。なお、第一実施形態と同一部分には同一符号を付した。
本実施形態の第一実施形態との違いは、袋体３２と収容体３３の形状であり、その他の構成要素に関しては第一実施形態と同一である。
【００４３】
袋体３２の個々は、左右に長い略矩形状であり、その幅Ｗ３はシート体の幅Ｗ２の１／４〜１／５である。
そして、収容体３３の幅Ｗ４、つまり二枚の不織布の幅を、シート体の幅Ｗ２の１／３以下とした。
【００４４】
また、収容体３３における、袋体３２を収容する複数の領域３３ａも、それぞれ袋体３２と略相似形の左右に長い略矩形状である。この領域３３ａの左右の長さＬ４は袋体３２の長さＬ３よりも長い。また、領域の幅（図示しない）は袋体３２の幅Ｗ３よりも広く、収容体３３の幅Ｗ４よりも狭い。二枚の不織布を左右方向及び幅方向にミシン縫いして仕切り３５を形成することで、このような領域３３ａが収容体３３に左右一列に設けられている。なお、図５においては、左右方向に延びる仕切りを省略している。
【００４５】
このような袋体３２を収容した収容体３３が、シート体２４の長辺側及び短辺側からはみ出ないように、シート体２４の中央部であって、シート体２４の一方の面（裏面）のみに縫い付けられている。ここで、収容体３３の幅Ｗ４はシート体２４の幅Ｗ２の１／３以下であるので、シート体２４の、収容体３３が縫い付けられた中央部以外の部分の面積は、収容体３３が縫い付けられた中央部の面積の、少なくとも二倍以上である。
【００４６】
この野生動物忌避シート３０は次のように使用される。
まず、野生動物忌避シート３０における収容体３３が縫い付けられた一方の面を下側にして、木杭等によって打ち付けられることで、野生動物忌避シート３０が地面（法面、平らな面のいずれでもよい）に敷設される。そして、シート体２４の、収容体３３が取付けられた中央部以外の部分の上面から芝生等の苗又は苗木を植え込み、シート体２４越しに苗又は苗木を地面に根付かせる。
【００４７】
以上のように構成及び使用された野生動物忌避シート３０によれば、植え込んだ苗等のすぐ側に唐辛子２１が入った袋体３２を配置できるので、効果的に野生動物から苗等を守ることができる。また、収容体３３の幅Ｗ４をシート体の幅Ｗ２の１／３以下としたので、野生動物忌避シート３０の上面に多くの苗を植え込むことができる。よって、野生動物忌避シート３０の大部分が苗で隠れるので、見栄えがよい。
【００４８】
なお、第一実施形態において、野生動物忌避シート２０を法面Ｎに敷設して使用したが、これに限られるものではなく、図６に示すように、野生動物忌避シート２０における収容体２３が取付けられた一方の面を内側にして、野生動物忌避シート２０を樹木Ｔの幹に巻き付けて固定してもよい。こうすることで、野生動物に樹皮を食べられることなく、樹木Ｔを育成することができる。このとき、野生動物忌避シート２０における収容体２３が取付けられた一方の面を内側にして、幹に巻き付けるので、収容体２３が破れてもシート体２４が唐辛子２１に覆い被さっており、雨によって唐辛子２１が流され難い。
【００４９】
また、袋体２２及び袋体２２を収容する領域２３ａをそれぞれ略二等辺三角形としたが、これに限られるものではなく、収容体２３の大きさは第一実施形態のままで、袋体２２及びそれを収容する領域２３ａを略矩形状としてもよい。さらには、袋体２２及び袋体２２を収容する領域２３ａは、これらの形状に限られるものではなく、袋体２２が収容体２３に収容され、唐辛子２１が収容体２３の一部分に偏在しなければ他の形状であってもよい。
さらに、第一実施形態において野生動物忌避シート２０の製造工程を示したが、製造工程はこれに限られるものではない。
【００５０】
また、第一及び第二実施形態において、シート体２４の通水性を収容体２３，３３の通水性よりも高くしたが、これに限られるものではなく、シート体２４及び収容体２３，３３は通水性を有していればよい。
また、袋体２２，３２は紙からなるとしたが、これに限られるものではなく、有機物の繊維材であって雨によって破れるものであればよい。
【００５１】
また、袋体２２，３２の内部には唐辛子２１が詰め込まれたとしたが、これに限られるものではなく、ワサビ、ハーブ等の他の刺激の強い有機物が詰め込まれてもよい。
また、収容体２３，３３は不織布で形成されるとしたが、これに限られるものではなく、綿等の有機物の繊維材であってもよい。
【００５２】
また、シート体２４は麻からなるとしたが、藁、茅、竹等で編まれた目の粗い有機物の繊維材であってもよい。
また、仕切り２５，３５はミシン縫いで形成されるとしたが、これに限られるものではなく、糊付け等で形成してもよい。
【符号の説明】
【００５３】
１０      野生動物忌避シート
１１      マット材
１２      ネット
１３      金網
２０      野生動物忌避シート
２０Ａ    野生動物忌避シート
２０Ｂ    野生動物忌避シート
２０Ｃ    野生動物忌避シート
２０Ｄ    野生動物忌避シート
２１      唐辛子
２２      袋体
２３      収容体
２３ａ    袋体を収容する領域
２４      シート体
２５      仕切り
２５ａ    ノコギリ歯状の仕切り
２５ｂ    直線状の仕切り
３０      野生動物忌避シート
３２      袋体
３３      収容体
３３ａ    袋体を収容する領域
３５      仕切り
Ｌ１    収容体の長さ
Ｌ２    シート体の長さ
Ｌ３    袋体の長さ
Ｌ４    袋体を収容する領域の長さ
Ｎ      法面
Ｒ      道路
Ｔ      樹木
Ｗ１    収容体の幅
Ｗ２    シート体の幅
Ｗ３    袋体の幅
Ｗ４    収容体の幅
【図１】
2011160687.tif 000003
【図２】
2011160687.tif 000004
【図３】
2011160687.tif 000005
【図４】
2011160687.tif 000006
【図５】
2011160687.tif 000007
【図６】
2011160687.tif 000008
【図７】
2011160687.tif 000009